(57)【要約】【課題】ターンテーブルなど搬送手段の周辺に集まった全ての利用者から、表示手段に表示された航空便や手荷物などの情報が確認できる物品搬送システム及び物品搬送システムにおける表示方法を得ることを目的とする。【解決手段】利用者２０が受け取る手荷物２１は、ターンテーブル１３によって矢印方向に運ばれる。そして、ターンテーブル１３には、このターンテーブル１３に沿って、且つ、ターンテーブル１３に対応する長さに設定された長尺表示器１２が設置されており、手荷物２１が搭載されていた航空機の情報などが表示される。【選択図】図２
2007320722.tif 000002
【特許請求の範囲】
【請求項１】
物品を搬送する所定設置長さの搬送手段と、上記搬送手段により搬送される物品情報を表示する表示手段と、上記表示手段に表示される上記物品情報を入力する表示情報入力手段と、上記表示情報入力手段により入力される上記物品情報を上記表示手段に表示する信号を生成する表示制御手段と、を備えた物品搬送システムにおいて、
上記表示手段は、上記搬送手段の少なくとも所定部分に沿って設置されることを特徴とする物品搬送システム。
【請求項２】
上記表示手段は、単位部材を複数個連結することにより構成されることを特徴とする請求項１記載の物品搬送システム。
【請求項３】
上記表示制御手段は、表示手段に表示される物品情報と搬送手段の搬送速度とを同期させるものであることを特徴とする請求項１又は請求項２記載の物品搬送システム。
【請求項４】
上記物品情報を上記表示手段が流し文字として表示することを特徴とする請求項３記載の物品搬送システム。
【請求項５】
上記表示情報入力手段に、上記物品に取り付られた無線ＩＣタグから上記物品情報を自動で読み取る無線ＩＣタグ読取装置を接続することを特徴とする請求項１〜請求項４記載の物品搬送システム。
【請求項６】
物品情報を有する物品を搬送手段により搬送すると共に、上記物品情報を表示手段に表示する物品搬送システムにおける表示方法において、
上記表示手段に上記物品情報を上記搬送手段の搬送速度と同期して表示することを特徴とする物品搬送システムにおける表示方法。
【請求項７】
上記表示手段により表示される物品情報は、表示制御手段による流し文字であることを特徴とする請求項６記載の物品搬送システムにおける表示方法。
【請求項８】
上記物品に取り付られた無線ＩＣタグから読取装置により上記物品情報を自動で読み取ることを特徴とする請求項６又は請求項７記載の物品搬送システムにおける表示方法。
【請求項９】
上記無線ＩＣタグから読み取った物品情報をもとに、予め生成された上記物品情報のデータベースから必要とする詳細情報を取得し、表示手段に表示することを特徴とする請求項８記載の物品搬送システムにおける表示方法。
【請求項１０】
物品情報を有する多数の物品を搬送手段により搬送すると共に、上記物品情報を表示手段に表示する物品搬送システムにおける表示方法において、
上記搬送手段の始動時に、表示手段に上記搬送手段の始動に対する注意表示を行い、その後、上記表示手段に上記物品情報を上記搬送手段の搬送速度と同期して表示することを特徴とする物品搬送システムにおける表示方法。
【請求項１１】
物品情報を有する多数の物品を搬送手段により搬送すると共に、上記物品情報を表示手段に表示する物品搬送システムにおける表示方法において、
上記搬送手段により上記物品を搬送している時には、上記表示手段に上記物品情報を上記搬送手段の搬送速度と同期して表示し、上記搬送手段の停止時には、上記表示手段に上記物品情報以外の情報を表示することを特徴とする物品搬送システムにおける表示方法。
【発明の詳細な説明】
【技術分野】
【０００１】
この発明は、例えば、空港において到着旅客の手荷物を搬送するターンテーブル等の搬送手段とその搬送手段により搬送される物品の情報を表示する表示手段を備えた物品搬送システム及び物品搬送システムにおける表示方法に関するものである。
【背景技術】
【０００２】
従来、空港に設置されている手荷物返却の為のターンテーブルには、上方に案内表示装置が設置されており、その案内表示装置に飛行機の便名、受取人の座席番号、何個口の何番目などが表示され、搬出口から出てきた自分の手荷物がターンテーブル上で回っているか否かを判断できるようにしたものがある。なお、手荷物の情報は、ＩＣカードリーダ／ライタにより読み取る構成になっている。
【０００３】
また、上記案内表示装置に設けられる表示面として、丸や多角形のものを用いることにより、広い範囲から確認できるようにしたもの、あるいは搬送される荷物の個数が多くてもデータが一覧表示できるように、大画面化したもので、表示面は一面しかないが、ターンテーブルとは少し離れた位置に配置することにより、ターンテーブル周辺の混雑を解消することができるようにしたものが提案されている（例えば、特許文献１参照）。
【０００４】
【特許文献１】特開２００２−２７４６４７号公報（段落０００８〜段落００１１、図２−図６）
【発明の開示】
【発明が解決しようとする課題】
【０００５】
上記特許文献１に開示された空港における手荷物のターンテーブルは長大であり、その設置面積が広いために、航空便や手荷物の情報が表示された案内表示装置を多面化したり、あるいは表示面を一面で大画面化しても、ターンテーブル周辺に集まった殆どの利用者から十分見えるように設置することは難しかった。
【０００６】
この発明は上記のような課題を解決するためになされたものであり、ターンテーブルなど搬送手段の周辺に集まった殆どの利用者から、表示手段に表示された航空便や手荷物などの情報が確認できる物品搬送システム及び物品搬送システムにおける表示方法を得ることを目的とするものである。
【課題を解決するための手段】
【０００７】
この発明に係る物品搬送システムは、物品を搬送する所定設置長さの搬送手段と、上記搬送手段により搬送される物品情報を表示する表示手段と、上記表示手段に表示される上記物品情報を入力する表示情報入力手段と、上記表示情報入力手段により入力される上記物品情報を上記表示手段に表示する信号を生成する表示制御手段と、を備えた物品搬送システムにおいて、上記表示手段は、上記搬送手段の少なくとも所定部分に沿って設置されることを特徴とするものである。
【０００８】
また、この発明に係る物品搬送システムにおける表示方法は、物品情報を有する物品を搬送手段により搬送すると共に、上記物品情報を表示手段に表示する物品搬送システムにおける表示方法において、上記表示手段に上記物品情報を上記搬送手段の搬送速度と同期して表示することを特徴とするものである。
【発明の効果】
【０００９】
この発明によれば、ターンテーブルなど搬送手段の周辺に集まった殆どの利用者から、表示手段に表示された航空便や手荷物などの情報が確認できる効果が得られる。
【発明を実施するための最良の形態】
【００１０】
以下に添付図面を参照して、この発明に係る物品搬送システム及び物品搬送システムにおける表示方法について好適な実施の形態を説明する。なお、以下の実施の形態は、説明の便宜上、この発明を空港へ到着した航空機からの手荷物を利用者が受け取る荷物ターンテーブル（以下、ターンテーブルという。）に採用した物品搬送システムを例に挙げて説明する。
【００１１】
実施の形態１．
図１〜図５は、実施の形態１に係る物品搬送システム及び物品搬送システムにおける表示方法を説明する図で、図１は物品搬送システムのブロック構成図、図２はこの物品搬送システムを空港に設置した例を説明する図、図３は表示手段の構成及び設置方法について説明する図、図４は物品搬送システムの動作を説明する図、図５は表示手段の表示方法を説明するフロー図である。
【００１２】
先ず、図１により実施の形態１に係る物品搬送システムのブロック構成図について説明する。図１において、表示情報入力手段である表示情報入力端末１０は、航空会社係員が到着便の情報を入力する端末で、ここで入力された表示情報は、表示制御手段である表示制御装置１１で表示信号に変換され、表示手段、即ち、長尺表示器１２に表示される。また、長尺表示器１２への表示を流し文字表示とし、この流し文字表示の速度と、ターンテーブル１３の移動速度を同じ速度にするため、ターンテーブル１３の移動量の情報が表示制御装置１１へ伝送される構成になっている。
【００１３】
図１のブロック構成図で説明した物品搬送システムは、図２に示すように空港に設置される。この図２において、利用者２０が受け取る手荷物２１は、ターンテーブル１３によって矢印方向に運ばれる。そして、ターンテーブル１３の少なくとも所定部分に沿って長尺表示器１２が設置されており、手荷物２１が搭載されていた航空機の情報などが表示される。この表示情報は航空会社係員２２が表示情報入力端末１０より予め入力するものであり、前述のように、表示制御装置１１で表示信号に変換されて長尺表示器１２に表示される。なお、ターンテーブル１３の出口側と入口側は、ベルトコンベア２３によって連結されている。
【００１４】
ここで、長尺表示器１２は、図３に示すように、ターンテーブル１３の曲面に沿って設置されると共に、短い長さの単位部材１２ａに分かれており、その短い長さの単位部材１２ａが複数個連結されることにより、曲面にも対応できるように構成されている。
【００１５】
実施の形態１による物品搬送システムは上記のように構成されており、次にその動作について説明する。
手荷物２１が到着して、ターンテーブル１３が動き出すと、図４で示すように、予め入力された手荷物２１に関する情報が長尺表示器１２に流し文字で表示される。ここで、利用者２０の視線は手荷物２１に向いているため、流し文字表示の表示速度Ａと、手荷物２１が移動する速度Ｂが一致した場合に、利用者２０が長尺表示器１２に表示された文字を最も確認しやすい状態となる。このため、図５のフロー図で示すように、表示制御装置１１は、ターンテーブル１３の移動量を収集して(ステップ１０１)、ターンテーブル１３の移動量から流し文字の表示速度Ａを算出し(ステップ１０２)、流し文字の表示速度Ａを変更制御する（ステップ１０３）、といった動作を常に繰り返している。
【００１６】
以上のように、実施の形態１の物品搬送システムによれば、ターンテーブル１３の少なくとも所定部分に沿って長尺表示器１２を設置したので、ターンテーブル１３の周辺に集まった殆どの利用者から長尺表示器１２の表示内容を確認することができる。
【００１７】
また、手荷物２１に関する情報を長尺表示器１２に流し文字で表示すると共に、流し文字表示の速度と、手荷物２１が移動する速度を一致させるように流し文字の表示速度を変更制御するように構成したので、利用者２０が長尺表示器１２に表示された表示内容を最も確認しやすい状態となる。
【００１８】
実施の形態２．
次に、実施の形態２について説明する。なお、実施の形態２における物品搬送システムの構成は、実施の形態１と同様であるので図示説明を省略する。
【００１９】
実施の形態１では長尺表示器１２に手荷物２１の情報を表示する場合について説明したが、実施の形態２は、長尺表示器１２に手荷物２１以外の情報を表示する実施の形態を説明するものである。即ち、表示情報入力端末１０に対して、手荷物２１に関する情報以外の情報を入力することができる機能、および表示制御装置１１に対して点滅表示機能などの表示機能を追加することにより、図６に示すように手荷物２１に関する情報以外の他の情報を表示させるものである。
【００２０】
図６は長尺表示器１２への表示例を示すもので、この図６において、表示例１はターンテーブル１３が動き始める前に利用者２０に対して注意を促す表示であり、点滅表示することにより、表示内容を強調して表示することが可能である。
【００２１】
また、手荷物２１に関する情報以外の他の情報は、ターンテーブル１３が停止している時に表示することが可能で、表示例２では空港の案内を表示し、表示例３では天気予報を表示し、表示例４では交通情報を表示し、表示例５では広告を表示した例をそれぞれ示している。表示例２〜５の各種情報は、ターンテーブル１３によって手荷物２１が搬送される空き時間に長尺表示器１２へ表示されるもので、顧客サービスの一環として提供される。なお、図７に示すように、航空機の到着に合わせて表示内容を順次変化させていく表示方法とすることが好ましい。
【００２２】
実施の形態３．
次に、実施の形態３について図８及び図９により説明する。なお、この図において、実施の形態１と同一部分は同一符号を付してその説明を省略する。図８及び図９は実施の形態３を説明する図で、手荷物２１の固有の情報を表示するようにしたものである。即ち、図８に示す表示情報入力端末１０に手荷物２１のタグナンバーを読み取るバーコードリーダ８０を接続することにより、図９に示すように、手荷物２１に付けられた手荷物タグ９１のタグナンバーを長尺表示器１２に表示することができる。このタグナンバーの表示を、手荷物２１の移動と同じ速度で移動させることにより、利用者２０が自分の手荷物２１であるかどうか確認するには、長尺表示器１２に表示されたタグナンバーを見ればよい。なお、長尺表示器１２に表示するタグナンバーは、手荷物２１がタグナンバー入力区間を移動している時に、航空会社係員２２がバーコードリーダ８０でタグナンバーを読み取ると、手荷物２１が手荷物受取場に入った時点で、長尺表示器１２にタグナンバーが表示されることになる。
【００２３】
実施の形態４．
次に、実施の形態４について図１０及び図１１により説明する。なお、この図において、実施の形態１と同一部分は同一符号を付してその説明を省略する。図１０及び図１１は実施の形態４を説明する図で、手荷物２１の固有の情報を表示するのに、自動化を図ったものである。即ち、図１０に示すように、無線ＩＣタグを埋め込んだ手荷物タグ１００を読み取るタグ読取装置１０１を係員作業場と手荷物受取場の間に設置して表示情報入力端末１０に接続することにより、タグ読取装置１０１を通過した手荷物２１のタグナンバーの入力を自動化することができ、効率化を図ることが出来る。そして、図１１のブロック図に示すように、タグ読取装置１０１で読み取ったタグナンバーを、表示情報入力端末１０で収集し、実施の形態３と同様、長尺表示器１２にタグナンバーを表示する。なお、手荷物２１におけるタグナンバーの表示タイミングは、手荷物２１がタグ読取装置１０１を通過した直後、手荷物受取場に入り、手荷物２１の近い位置に表示される。
【００２４】
実施の形態５．
次に、実施の形態５について図１２〜図１４を用いて説明する。なお、この図において、実施の形態４と同一部分は同一符号を付してその説明を省略する。実施の形態４では、長尺表示器１２に自動的に読み取ったタグナンバーを表示した例について説明したが、実施の形態５は、タグナンバーでなく、手荷物２１を所有する乗客の氏名などの詳細な情報を表示するものである。即ち、図１２に示すように、手荷物２１を所有する乗客の氏名などの詳細な情報を表示することにより、利用者２０がタグナンバーをいちいち見る必要が無く、手荷物２１の個数が多くなると、タグナンバーを比較するのに時間を要するため、混雑緩和には有効である。なお、詳細な乗客の情報は出発空港でチェックイン時に航空会社のデータベースに登録され、航空会社のネットワークを利用して、到着空港でも検索などを行えるようになっている。
【００２５】
手荷物２１を所有する乗客の氏名を表示するためには、図１３のブロック図で示すように、航空会社データベース１３０と接続する。タグ読取装置１０１で読み取ったタグナンバーをキーとして、航空会社データベース１３０を検索することで、手荷物２１を所有する乗客の氏名などを取得することができ、長尺表示器１２に表示することが可能となる。
【００２６】
次に、実施の形態５による物品搬送システムの動作について説明する。即ち、図１４のフロー図において、タグ読取装置１０１がタグナンバーを読み取る（ステップ２０１）と、タグナンバーから航空会社データベース１３０の乗客データを検索し乗客データを取得する（ステップ２０２）。
【００２７】
乗客データを取得できた場合は、タグナンバーが付いた手荷物２１を所有する乗客の氏名を流し文字で表示し（ステップ２０３）、乗客データを取得できなかった場合は、従来同様にタグナンバーを流し文字で表示する（ステップ２０４）。以降、次の手荷物１３も同様の処理を繰り返す。
【００２８】
上記各実施の形態は、この発明を空港へ到着した航空機からの手荷物を利用者が受け取る荷物ターンテーブル等への搬送システムに適用した実施の形態として説明したが、この発明は、航空機の場合以外にも、例えば船舶や列車などにおける物品搬送システム、あるいは、荷物配送センターなどにおける搬送システムにも適用でき、この発明の主旨を逸脱しない範囲における諸種の実施の形態を包含するものである。
【産業上の利用可能性】
【００２９】
この発明は、空港において到着旅客の手荷物を返却するターンテーブル等の物品搬送手段とその搬送手段により搬送される物品の情報を表示する表示手段を備えた物品搬送システムとして利用できる。
【図面の簡単な説明】
【００３０】
【図１】この発明の実施の形態１による物品搬送システムのブロック構成図である。
【図２】この発明の実施の形態１による物品搬送システムを空港に設置した例を説明する図である。
【図３】この発明の実施の形態１による物品搬送システムの表示手段の構成及び設置方法を説明する図である。
【図４】この発明の実施の形態１における物品搬送システムの動作を説明する図である。
【図５】この発明の実施の形態１による物品搬送システムの表示手段の表示方法を説明するフロー図である。
【図６】この発明の実施の形態２による物品搬送システムの表示手段への表示例を示す図である。
【図７】この発明の実施の形態２による物品搬送システムの表示手段への表示方法を説明する図である。
【図８】この発明の実施の形態３による物品搬送システムのブロック構成図である。
【図９】この発明の実施の形態３による物品搬送システムを空港に設置した例を説明する図である。
【図１０】この発明の実施の形態４による物品搬送システムを空港に設置した例を説明する図である。
【図１１】この発明の実施の形態４による物品搬送システムのブロック構成図である。
【図１２】この発明の実施の形態５による物品搬送システムの表示手段への表示例を示す図である。
【図１３】この発明の実施の形態５による物品搬送システムのブロック構成図である。
【図１４】この発明の実施の形態５による物品搬送システムの動作について説明する
【符号の説明】
【００３１】
１０  表示情報入力端末
１１  表示制御装置
１２  長尺表示器
１３  ターンテーブル
２０  利用者
２１  手荷物
２２  航空会社係員
２３  ベルトコンベア
８０  バーコードリーダ
９１  手荷物タグ
１００  無線ＩＣタグを埋め込んだ手荷物タグ
１０１  タグ読取装置
１３０  航空会社データベース
【図１】
2007320722.tif 000003
【図２】
2007320722.tif 000004
【図３】
2007320722.tif 000005
【図４】
2007320722.tif 000006
【図５】
2007320722.tif 000007
【図６】
2007320722.tif 000008
【図７】
2007320722.tif 000009
【図８】
2007320722.tif 000010
【図９】
2007320722.tif 000011
【図１０】
2007320722.tif 000012
【図１１】
2007320722.tif 000013
【図１２】
2007320722.tif 000014
【図１３】
2007320722.tif 000015
【図１４】
2007320722.tif 000016